(57)【要約】【課題】従来の棚段型真空乾燥機は内部棚等が固定構造であり更に隙間が狭く、掃除が困難であり且つその掃除確認が出来ない構造であった。【解決手段】真空槽と内部の棚段とを分離して独立させ、その一方を台車構造として構成し、台車側を移動することで乾燥機を開閉でき、開けば真空槽内面と棚表面を外部に露出できることになり、その掃除と掃除の確認が確実なものとなる。【選択図】  図３
2004150781.tif 000002
【特許請求の範囲】
【請求項１】
真空棚段乾燥機において、棚段と扉板を組合わせて床から支持固定し、真空槽は台車構造とし移動可能として床面上に設置し、真空槽を移動して乾燥機を閉する事によって棚段を真空槽に収容して密閉でき、また棚段から真空槽を移動引き離して乾燥機を開することによって棚段と真空槽を分離できる台車式真空棚段乾燥機。
【請求項２】
上記の乾燥機において、棚段は真空槽の一側面の扉板内方に固定し、その扉板を支柱と固定台によって床面に固定し、真空槽にはその下部に車輪を設けて棚段と同一高さとして床面または床面上のレールに設置した構成として乾燥機を開閉する事により棚段側と真空槽側を分離あるいは合体できる構造とした台車式真空棚段乾燥機。
【請求項３】
真空槽を床から支持して固定し、棚段は扉板と組み合わせてこれに車輪を設けて移動可能として設置し、棚段側を移動して乾燥機を開閉できる構造とした台車式真空棚段乾燥機。
【発明の詳細な説明】
【０００１】
【発明の属する技術分野】本発明は、真空乾燥機のうち加熱棚板の複数段方式による棚段型真空乾燥機に関する。
【０００２】
【従来の技術】従来の棚段型真空乾燥機の構造は真空槽１内に多段の棚７を固定してあり、その各棚には外部から加熱用の温水、蒸気、熱媒、電熱などによる熱源が導入されていて棚が発熱します。
【０００３】真空槽１にはその正面に広い扉板９が付いており、内部の各棚７上にトレーを出し入れできるように成っております。
【０００４】この棚段型真空乾燥機の使用方法は、真空槽内の多段の棚にのせたトレーに乾燥処理する粉体等を入れ、真空槽内を真空排気しつつ粉体等を伝導熱や輻射熱で加熱し、真空、低温雰囲気において粉体を乾燥をさせるものです。
【０００５】本乾燥機で乾燥する処理品の粉体等は、主に薬品、食品に類するものであって、清潔さが重要であり不純物．異物の混入を嫌うものです。  この種の乾燥機のトレーは上方が開放されているので、汚れや異物混入に対して無防備であります。  従って乾燥機内部は常に掃除をし、クリーンな状態を保つ必要があります。
【０００６】
従来この種の乾燥機においては扉板９側から手をいれて掃除をしておりますが全てに手や掃除道具が届くものではありせん。  また、内部に洗浄ノズルを多数設置し或はシャワーボールを設置して、真空槽内面や棚表面に洗浄液を噴霧あるいはスプレーすることでそれを洗浄する方法も採用しておりますが、その方法においてもその表面との当りに強弱があり洗浄の斑が生じております。  真空槽の奥においては特にスプレー等の影になる部分が多々あり、さらに洗浄液が当らない所もありました。  何れにしても洗浄は不確実であります。
【０００７】
【発明が解決しようとする課題】
従来の真空槽内部は各棚が真空槽内部に固定されており、掃除の為の分解は困難であります。  また真空槽１の開口は扉板９側のみであり夫々の棚７の間隔は狭く、真空槽内面と棚との間隔も狭いものであり、その為内部機器の表面は外部から見えない所が多くあり、また見え難いものであります。  この構造では手や道具が細部に入り難いので手作業による洗浄が困難であるうえ、洗浄効果の確認が行えないため、衛生上極めて不確実な乾燥機構造であります。
【０００８】
【課題を解決する為の手段】本発明では、真空槽１の容器側面の一面を扉板９として構成して真空槽１から分離し、真空槽とはクランプ４．ハンドル５等で締付け合体する構造としております。  数個の棚７はその扉板９の内側に固定して棚段としており、従って真空槽とは棚段と共に開閉できる構造としております。つまり、真空槽の扉を開閉する事で棚段側と真空槽側とを分離、引離せる構造としたものです。
ここで棚段付の扉板は床に接続して固定し、真空槽は下部に車輪を設けて台車構造とし、固定棚段と台車付真空槽は対面して配置して、その真空槽は床面または床面上に設けたレール上に載せます。  従って真空槽フランジ３と扉板を接合すれば真空槽の内側に棚段が挿入出来るように配置します。
【０００９】従って台車付き真空槽のフランジ３真空シール面を棚段側の扉板９の真空シール面と合せると、即ち真空槽の扉を閉するとその真空槽に棚段が収容されて密閉構造になり、真空状態が作成可能に成り、乾燥作業が行える状態になります。  また乾燥機を開けば、即ち棚段側扉板９から真空槽１を引き離せば真空槽内面２と棚７外面が全て外部に露出されることになりトレーの出し入れや掃除が簡単に出来ます。  棚が外部に引出されるので棚段の平面３方向から掃除が簡単に行えかつその確認も簡単に行える事に成ります。
【００１０】従来方式では乾燥機内部に常に固定されていた棚段が、本発明では適時に真空槽の外に引出し出来る為、棚段の表面と真空槽の内面の全てが目視可能になり且つ夫々手が届く範囲となりますので、それらは特別な方法を用いなくとも直接手洗い出来、且つ洗浄の結果確認が目視あるいは触っておこなえることになりました。
【００１１】
【実施例】以下、図面を参照して本発明による棚段台車方法を、実施例において説明する。  まず図３乾燥機を開いた状態である。  数個の棚７は扉板９に固定してあり、扉板７は支柱１０と固定台１１によって床面１３に固定されている。補強枠８は棚段７の端部を扉板９に固定するための補強である。
【００１２】真空槽１には下部に車輪６が４個付いており、固定台１１に載っている。  真空槽１は数個の棚段７の全てを収容できる大きさを持っている。
【００１３】図４は真空槽を閉じた状態である。  図３の状態から真空槽１を移動しそのシール面３が扉板９に当るまで接近させ、クランプ４のハンドル５によって互いを軽く締付けた状態であり、真空乾燥が可能な状態です。
【００１４】
【発明の効果】以上に説明した本発明によれば、従来は困難であった真空槽の内面洗浄、棚表面の洗浄が極めて簡単に行える事で作業性が良くなった事。  更に、従来は確認できなかった真空槽内面の洗浄結果、棚表面の洗浄結果の確認が極めて簡単に目視確認やホワイトグローブでの触っての方法で行えるように成った事である。  従って本発明の乾燥機によれば医薬、食品関係の衛生上の汚れの問題や異物混入の問題が解決され、クリーンな設備によって純度の高い製品が乾燥できる事になりました。
【図面の簡単な説明】
【図１】従来の棚段型真空乾燥機  平面図
【図２】従来の棚段型真空乾燥機  側面図
【図３】本発明の台車式真空棚段乾燥機  側面図  開いた状態
【図３】本発明の台車式真空棚段乾燥機  側面図  閉じた状態
【符号の説明】
１      真空槽                      ２      真空槽内面
３      フランジ（シール面）        ４      クランプ
５      ハンドル                    ６      車輪
７      棚（図は棚８枚の棚段）      ８      補強材
９      蓋板                        １０    支柱
１１    固定台                      １２    加熱源導入部
１３    床
【図１】
2004150781.tif 000003
【図２】
2004150781.tif 000004
【図３】
2004150781.tif 000005
【図４】
2004150781.tif 000006
【手続補正書】
【提出日】平成15年1月28日(2003.1.28)
【手続補正１】
【補正対象書類名】明細書
【補正対象項目名】図面の簡単な説明
【補正方法】変更
【補正の内容】
【図面の簡単な説明】
【図１】従来の棚段型真空乾燥機  平面図
【図２】従来の棚段型真空乾燥機  側面図
【図３】本発明の台車式真空棚段乾燥機  側面図  開いた状態
【図４】本発明の台車式真空棚段乾燥機  側面図  閉じた状態
【符号の説明】
１    真空槽                      ２    真空槽内面
３    フランジ（シール面）        ４    クランプ
５    ハンドル                    ６    車輪
７    棚（図は棚８枚の棚段）      ８    補強材
９    蓋板                        １０  支柱
１１  固定台                      １２  加熱源導入部
１３  床